(57)【要約】【課題】  各ＵＰＳの出力電圧を同電位に調整する場合、短時間で容易に調整すること。【解決手段】  並列接続された全てのＵＰＳ１２−１，１２−２の何れか一つに配備され、その全てのＵＰＳ１２−１，１２−２の出力電圧Ｖ１，Ｖ２を上昇又は下降するため操作が行われ、この操作が行われた際に全てのＵＰＳ１２−１，１２−２に対して個々に電圧操作信号（電圧上昇操作信号４１−１，４１−２又は電圧下降操作信号４２−１，４２−２）を出力する操作パネル１３を備える。また、全てのＵＰＳ１２−１，１２−２に個々に配備され、自ＵＰＳ１２−１用の電圧操作信号と、他ＵＰＳ１２−２用の電圧操作信号との双方が入力された際に、自ＵＰＳ２１−１の出力電圧を上昇又は下降させるように調整する出力電圧調整装置１４−１，１４−２とを備えて構成する。【選択図】      図１
2005269720.tif 000002
【特許請求の範囲】
【請求項１】
電源のバックアップが必要な電源供給対象装置に、停電時に所定時間給電を行う無停電電源装置を並列に接続した無停電電源装置並列システムにおいて、
前記並列接続された全ての無停電電源装置の何れか一つに配備され、その全ての無停電電源装置の出力電圧を上昇及び下降の何れか一方の状態とするため操作が行われ、この操作が行われた際に全ての無停電電源装置に対して個々に電圧操作信号を出力する操作手段と、
前記全ての無停電電源装置に個々に配備され、自無停電電源装置用の前記電圧操作信号と、他無停電電源装置用の前記電圧操作信号との双方が入力された際に、自無停電電源装置の出力電圧を上昇及び下降の何れか一方の状態に調整する出力電圧調整手段と
を備えたことを特徴とする無停電電源装置並列システム。
【請求項２】
前記出力電圧調整手段は、自無停電電源装置及び他無停電電源装置の双方が運転中の場合に、その双方の電圧操作信号が入力されたことを条件として、自無停電電源装置の出力電圧を上昇及び下降の何れか一方の状態に調整し、自無停電電源装置が運転中で、他無停電電源装置が停止中の場合は、自無停電電源装置用の電圧操作信号のみに応じて自無停電電源装置の出力電圧を上昇及び下降の何れか一方の状態に調整する
ことを特徴とする請求項１に記載の無停電電源装置並列システム。
【発明の詳細な説明】
【技術分野】
【０００１】
本発明は、コンピュータ装置などの電源のバックアップが必要な電源供給対象装置に、停電時に所定時間給電を行う無停電電源装置を並列に接続した無停電電源装置並列システムに関する。
【背景技術】
【０００２】
従来のＵＰＳ(Uninterruptible Power Supply：無停電電源装置)並列システムは、ＵＰＳ毎に出力電圧可変機能を有している。並列に接続された各ＵＰＳは、ＵＰＳ間の出力電圧の電位差により相互に電流が流れるので、この電流を抑えることが必要となる。出力電圧は各ＵＰＳの出力電圧可変機能によって個別に調整するようになっているので、各ＵＰＳの各々の操作パネルで、交互に少しずつ電圧を可変することによって、各ＵＰＳの出力電圧を同電位に調整する。これによって、ＵＰＳ間に流れる電流を抑えることができる。
【０００３】
この種の従来の装置として、例えば特許文献１に記載のものがある。
【特許文献１】特開２０００−２０１４４０号公報
【発明の開示】
【発明が解決しようとする課題】
【０００４】
しかし、従来のＵＰＳ並列システムにおいて各ＵＰＳの出力電圧を同電位に調整する場合、ＵＰＳ個別に交互に少しずつ可変して調整しなければならないので、その調整が面倒であると共に時間がかかるという問題がある。
本発明は、このような課題に鑑みてなされたものであり、各ＵＰＳの出力電圧を同電位に調整する場合、短時間で容易に調整することができる無停電電源装置並列システムを提供することを目的としている。
【課題を解決するための手段】
【０００５】
上記目的を達成するために、本発明の請求項１による無停電電源装置並列システムは、電源のバックアップが必要な電源供給対象装置に、停電時に所定時間給電を行う無停電電源装置を並列に接続した無停電電源装置並列システムにおいて、前記並列接続された全ての無停電電源装置の何れか一つに配備され、その全ての無停電電源装置の出力電圧を上昇及び下降の何れか一方の状態とするため操作が行われ、この操作が行われた際に全ての無停電電源装置に対して個々に電圧操作信号を出力する操作手段と、前記全ての無停電電源装置に個々に配備され、自無停電電源装置用の前記電圧操作信号と、他無停電電源装置用の前記電圧操作信号との双方が入力された際に、自無停電電源装置の出力電圧を上昇及び下降の何れか一方の状態に調整する出力電圧調整手段とを備えたことを特徴としている。
【０００６】
この構成によれば、自無停電電源装置及び他無停電電源装置の双方の電圧操作信号が自無停電電源装置に入力されることを条件として、自無停電電源装置の出力電圧を上昇又は下降させるようにしたので、自無停電電源装置の出力電圧は、他無停電電源装置の出力電圧の上昇又は下降に同期して上昇又は下降することとなる。従って、並列接続された全ての無停電電源装置の出力電圧を同期状態で上昇又は下降させる調整を行うことができる。しかも、操作手段は１つのみなので、一回の操作で上記の調整を行うことができる。
【０００７】
また、本発明の請求項２による無停電電源装置並列システムは、請求項１において、前記出力電圧調整手段は、自無停電電源装置及び他無停電電源装置の双方が運転中の場合に、その双方の電圧操作信号が入力されたことを条件として、自無停電電源装置の出力電圧を上昇及び下降の何れか一方の状態に調整し、自無停電電源装置が運転中で、他無停電電源装置が停止中の場合は、自無停電電源装置用の電圧操作信号のみに応じて自無停電電源装置の出力電圧を上昇及び下降の何れか一方の状態に調整することを特徴としている。
【０００８】
この構成によれば、他無停電電源装置が停止中の場合は、操作手段での操作によって自無停電電源装置のみの出力電圧の上昇又は下降の調整を行うことができる。
【発明の効果】
【０００９】
以上説明したように本発明によれば、各無停電電源装置（ＵＰＳ）の出力電圧を同電位に調整する場合、短時間で容易に調整することができるという効果がある。
【発明を実施するための最良の形態】
【００１０】
以下、本発明の実施の形態を、図面を参照して説明する。
図１は、本発明の実施の形態に係るＵＰＳ並列システムの構成を示す図である。
図１に示すＵＰＳ並列システムは、並列に接続された第１のＵＰＳ１２−１及び第２のＵＰＳ１２−２を備え、第１のＵＰＳ１２−１に、操作パネル１３と、出力電圧調整装置１４−１と、点弧パルス発生装置１５−１と、インバータ１６−１と、整流器１７−１とを備え、第２のＵＰＳ１２−２に、出力電圧調整装置１４−２と、点弧パルス発生装置１５−２と、インバータ１６−２と、整流器１７−２とを備えて構成されている。
【００１１】
操作パネル１３は、並列接続された各ＵＰＳ１２−１，１２−２のうち何れか１つのみに設けられており、この例では第１のＵＰＳ１２−１に設けられており、電圧上昇操作スイッチ２１及び電圧下降操作スイッチ２２を備えて構成されている。
出力電圧調整装置１４−１は、アンド回路３１−１，３２−１，３３−１，３４−１と、オア回路３５−１，３６−１と、電圧上昇指令制御部３７−１と、電圧下降指令制御部３８−１とを備えて構成されている。
【００１２】
出力電圧調整装置２４−２は、アンド回路３１−２，３２−２，３３−２，３４−２と、オア回路３５−２，３６−２と、電圧上昇指令制御部３７−２と、電圧下降指令制御部３８−２とを備えて構成されている。
次に、これらの構成要素の説明を行う。
操作パネル１３は、並列接続された全てのＵＰＳ１２−１，１２−２の出力電圧Ｖ１，Ｖ２を同時に上昇又は下降させる操作を行うものである。電圧上昇操作スイッチ２１は、各ＵＰＳ１２−１，１２−２の出力電圧Ｖ１，Ｖ２を上昇させる際にオン操作され、電圧下降操作スイッチ２２は、出力電圧Ｖ１，Ｖ２を下降させる際にオン操作されるようになっている。
【００１３】
また、電圧上昇操作スイッチ２１がオン操作されると、第１のＵＰＳ１２−１用の電圧上昇操作信号４１−１及び第２のＵＰＳ１２−２用の電圧上昇操作信号４１−２が「Ｈ」レベル（以降、「Ｈ」と表現）となる。オフ時は「Ｌ」レベル（以降、「Ｌ」と表現）となっている。電圧下降操作スイッチ２２がオン操作されると、第１のＵＰＳ１２−１用の電圧下降操作信号４２−１及び第２のＵＰＳ１２−２用の電圧下降操作信号４２−２が「Ｈ」となる。オフ時は「Ｌ」となっている。
【００１４】
各出力電圧調整装置１４−１，１４−２は、操作パネル１３での電圧上昇又は下降の操作に応じて、各ＵＰＳ１２−１，１２−２の出力電圧Ｖ１，Ｖ２の電位が上昇又は下降するように調整するものである。
第１の出力電圧調整装置１４−１は、他のＵＰＳが運転中（他号機運転信号４３−２が「Ｈ」）に、自ＵＰＳ１２−１の電圧上昇操作信号４１−１と、他ＵＰＳ１２−２から送信されてくる電圧上昇操作信号４１−２とが共に「Ｈ」となった場合に、点弧パルスＰ１の幅が広がるように制御することによって、インバータ１６−１の出力電圧Ｖ１を上昇させる。つまり、電圧上昇指令制御部３７−１から出力される電圧上昇指令信号４４−１が「Ｈ」となって、点弧パルス発生装置１５−１から出力される点弧パルスＰ１の幅が広がるように制御され、この点弧パルスＰ１がインバータ１６−１に供給されることによって出力電圧Ｖ１が上昇するようになっている。
【００１５】
第２の出力電圧調整装置１４−２も、他のＵＰＳが運転中（他号機運転信号４３−１が「Ｈ」）に、自ＵＰＳ１２−２の電圧上昇操作信号４１−２と、他ＵＰＳ１２−１から送信されてくる電圧上昇操作信号４１−１とが共に「Ｈ」となった場合に、点弧パルスＰ２の幅が広がるように制御することによって、インバータ１６−２の出力電圧Ｖ２を上昇させるようになっている。つまり、電圧上昇指令制御部３７−２から出力される電圧上昇指令信号４４−２が「Ｈ」となって、点弧パルス発生装置１５−２から出力される点弧パルスＰ２の幅が広がるように制御され、この点弧パルスＰ２がインバータ１６−２に供給されることによって出力電圧Ｖ２が上昇するようになっている。
【００１６】
更に言及すれば、双方の出力電圧調整装置１４−１，１４−２は、自装置の電圧上昇操作信号と、他装置の電圧上昇操作信号との双方が「Ｈ」となることを条件として、双方の出力電圧Ｖ１，Ｖ２が同期して上昇するように調整を行う。
また、各出力電圧調整装置１４−１，１４−２は、他のＵＰＳが停止中（他号機停止信号４５−１，４５−２が「Ｈ」）は、運転中のＵＰＳ用の電圧上昇操作信号のみによって運転中の出力電圧（例えばＶ１）が上昇するように調整を行う。この場合、停止中のＵＰＳからの電圧上昇操作信号は送信されてこないので、運転中の出力電圧Ｖ１は、運転中のＵＰＳの電圧上昇操作量に応じて独立して上昇するようになっている。
【００１７】
各出力電圧Ｖ１，Ｖ２を下降させる場合も同様の考え方で調整を行うように成されている。
即ち、第１の出力電圧調整装置１４−１では、他のＵＰＳが運転中（他号機運転信号４３−２が「Ｈ」）に、自ＵＰＳ１２−１の電圧下降操作信号４２−１と、他ＵＰＳ１２−２から送信されてくる電圧下降操作信号４２−２とが共に「Ｈ」となった場合に、点弧パルスＰ１の幅が狭まるように制御することによって、インバータ１６−１の出力電圧Ｖ１を下降させる。つまり、電圧下降指令制御部３８−１から出力される電圧下降指令信号４６−１が「Ｈ」となって、点弧パルス発生装置１５−１から出力される点弧パルスＰ１の幅が狭まるように制御され、この点弧パルスＰ１がインバータ１６−１に供給されることによって出力電圧Ｖ１が下降するようになっている。
【００１８】
第２の出力電圧調整装置１４−２でも、他のＵＰＳが運転中（他号機運転信号４３−１が「Ｈ」）に、自ＵＰＳ１２−２の電圧下降操作信号４２−２と、他ＵＰＳ１２−１から送信されてくる電圧下降操作信号４２−１とが共に「Ｈ」となった場合に、点弧パルスＰ２の幅が狭まるように制御することによって、インバータ１６−２の出力電圧Ｖ２を下降させるようになっている。つまり、電圧下降指令制御部３８−２から出力される電圧下降指令信号４６−２が「Ｈ」となって、点弧パルス発生装置１５−２から出力される点弧パルスＰ２の幅が狭まるように制御され、この点弧パルスＰ２がインバータ１６−２に供給されることによって出力電圧Ｖ２が下降するようになっている。
【００１９】
更に言及すれば、双方の出力電圧調整装置１４−１，１４−２は、自装置の電圧下降操作信号と、他装置の電圧下降操作信号との双方が「Ｈ」となることを条件として、双方の出力電圧Ｖ１，Ｖ２が同期して下降するように調整を行う。
また、各出力電圧調整装置１４−１，１４−２は、他のＵＰＳが停止中（他号機停止信号４５−１，４５−２が「Ｈ」）は、運転中のＵＰＳ用の電圧下降操作信号のみによって運転中の出力電圧（例えばＶ１）が下降するように調整を行う。この場合、停止中のＵＰＳからの電圧下降操作信号は送信されてこないので、運転中の出力電圧Ｖ１は、運転中のＵＰＳの電圧下降操作量に応じて独立して下降するようになっている。
【００２０】
このような構成のＵＰＳ並列システムにおいて、複数のＵＰＳ１２−１，１２−２の出力電圧Ｖ１，Ｖ２を上昇させる際の動作を、図２に示すタイミングチャートを参照して説明する。
各ＵＰＳ１２−１，１２−２が運転中に、時刻ｔ１〜ｔ２間において、操作パネル１３にて電圧上昇操作スイッチ２１がオン（ＯＮ）操作されたとする。これによって、各電圧上昇操作信号４１−１，４１−２が「Ｌ」から「Ｈ」となる。
【００２１】
第１のＵＰＳ１２−１用の電圧上昇操作信号４１−１の「Ｈ」は、第１の出力電圧調整装置１４−１におけるアンド回路３３−１の一方の入力端に供給されると共に、第２の出力電圧調整装置１４−２におけるアンド回路３１−２の一方の入力端に供給される。
第２のＵＰＳ１２−２用の電圧上昇操作信号４１−２の「Ｈ」は、第２の出力電圧調整装置１４−２におけるアンド回路３３−２の一方の入力端に供給されると共に、第１の出力電圧調整装置１４−１におけるアンド回路３１−１の一方の入力端に供給される。
【００２２】
これによって、アンド回路３１−１の出力信号が「Ｈ」となって、オア回路３５−１の出力信号が「Ｈ」、アンド回路３３−１の出力信号が「Ｈ」となる。この「Ｈ」が電圧上昇指令制御部３７−１に供給されると、電圧上昇指令信号４４−１が「Ｈ」となり、この「Ｈ」に応じて点弧パルス発生装置１５−１から出力される点弧パルスＰ１の幅が広がるように制御される。この点弧パルスＰ１がインバータ１６−１に供給されると、出力電圧Ｖ１が上昇する。
【００２３】
これと同様に、第２のＵＰＳ１２−２においては、アンド回路３１−２の出力信号が「Ｈ」となって、オア回路３５−２の出力信号が「Ｈ」、アンド回路３３−２の出力信号が「Ｈ」となる。この「Ｈ」が電圧上昇指令制御部３７−２に供給されると、電圧上昇指令信号４４−２が「Ｈ」となり、この「Ｈ」に応じて点弧パルス発生装置１５−２から出力される点弧パルスＰ２の幅が広がるように制御される。この点弧パルスＰ２がインバータ１６−１に供給されると、出力電圧Ｖ２が上昇する。
【００２４】
つまり、双方のＵＰＳ１２−１，１２−２の出力電圧Ｖ１，Ｖ２が同期して同電位に上昇する。
この後、時刻ｔ２〜ｔ３間において、電圧上昇操作スイッチ２１がオフ（ＯＦＦ）とされると、各電圧上昇操作信号４１−１，４１−２が「Ｌ」となるので、各アンド回路３１−１，３３−１及びオア回路３５−１の出力信号と、各アンド回路３１−２，３３−２及びオア回路３５−２の出力信号とが「Ｌ」となって、これによって各電圧上昇指令信号４４−１，４４−２が「Ｌ」となり、点弧パルスＰ１、Ｐ２が「Ｌ」となって各出力電圧Ｖ１，Ｖ２が先に調整された電位を保持する。
【００２５】
一方、時刻ｔ３〜ｔ４間において、第２のＵＰＳ１２−２が停止したとすると、出力電圧Ｖ２が０Ｖとなり、他号機運転信号４３−２が「Ｌ」、他号機停止信号４５−２が「Ｈ」となる。また、各アンド回路３１−２，３３−２及びオア回路３５−２の出力信号、電圧上昇指令信号４４−２、点弧パルスＰ２も「Ｌ」となる。
また、第１のＵＰＳ１２−１においては、他号機停止信号４５−２が「Ｈ」となるので、オア回路３５−１の出力信号が「Ｈ」となって、これがアンド回路３３−１の一方の入力端に供給された状態となる。
【００２６】
この状態において、同時刻ｔ３〜ｔ４間にて、電圧上昇操作スイッチ２１がオンとされると、電圧上昇操作信号４１−１が「Ｈ」となってアンド回路３３−１の他方の入力端に供給されるので、アンド回路３３−１の出力信号が「Ｈ」となって、これが電圧上昇指令制御部３７−１に供給される。
この時、他方の電圧上昇操作信号４１−２も「Ｈ」となるが、第２のＵＰＳ１２−２は停止中なので、第１のＵＰＳ１２−１には他号機運転信号４３−２が送信されてこない。このため、第１のＵＰＳ１２−１における電圧上昇動作は同期でなく単独で行われることになる。
【００２７】
即ち、電圧上昇指令信号４４−１が「Ｈ」となり、この「Ｈ」に応じて点弧パルスＰ１の幅が広がるように制御される。この点弧パルスＰ１がインバータ１６−１に供給されると、出力電圧Ｖ１が上昇する。
次に、各ＵＰＳ１２−１，１２−２の出力電圧Ｖ１，Ｖ２を下降させる際の動作を、図３に示すタイミングチャートを参照して説明する。
【００２８】
各ＵＰＳ１２−１，１２−２が運転中に、時刻ｔ１〜ｔ２間において、操作パネル１３にて電圧下降操作スイッチ２２がオン（ＯＮ）操作されたとする。これによって、各電圧下降操作信号４２−１，４２−２が「Ｌ」から「Ｈ」となる。
第１のＵＰＳ１２−１用の電圧下降操作信号４２−１の「Ｈ」は、第１の出力電圧調整装置１４−１におけるアンド回路３４−１の一方の入力端に供給されると共に、第２の出力電圧調整装置１４−２におけるアンド回路３２−２の一方の入力端に供給される。
【００２９】
第２のＵＰＳ１２−２用の電圧下降操作信号４２−２の「Ｈ」は、第２の出力電圧調整装置１４−２におけるアンド回路３４−２の一方の入力端に供給されると共に、第１の出力電圧調整装置１４−１におけるアンド回路３２−１の一方の入力端に供給される。
これによって、アンド回路３２−１の出力信号が「Ｈ」となって、オア回路３６−１の出力信号が「Ｈ」、アンド回路３４−１の出力信号が「Ｈ」となる。この「Ｈ」が電圧下降指令制御部３７−１に供給されると、電圧下降指令信号４６−１が「Ｈ」となり、この「Ｈ」に応じて点弧パルス発生装置１５−１から出力される点弧パルスＰ１の幅が狭まるように制御される。この点弧パルスＰ１がインバータ１６−１に供給されると、出力電圧Ｖ１が下降する。
【００３０】
これと同様に、第２のＵＰＳ１２−２においては、アンド回路３２−２の出力信号が「Ｈ」となって、オア回路３６−２の出力信号が「Ｈ」、アンド回路３４−２の出力信号が「Ｈ」となる。この「Ｈ」が電圧下降指令制御部３７−２に供給されると、電圧下降指令信号４６−２が「Ｈ」となり、この「Ｈ」に応じて点弧パルス発生装置１５−２から出力される点弧パルスＰ２の幅が狭まるように制御される。この点弧パルスＰ２がインバータ１６−１に供給されると、出力電圧Ｖ２が下降する。
【００３１】
つまり、双方のＵＰＳ１２−１，１２−２の出力電圧Ｖ１，Ｖ２が同期して同電位に下降する。
この後、時刻ｔ２〜ｔ３間において、電圧下降操作スイッチ２２がオフ（ＯＦＦ）とされると、各電圧下降操作信号４１−１，４１−２が「Ｌ」となるので、各アンド回路３２−１，３４−１及びオア回路３６−１の出力信号と、各アンド回路３２−２，３４−２及びオア回路３６−２の出力信号とが「Ｌ」となって、これによって各電圧下降指令信号４６−１，４６−２が「Ｌ」となり、点弧パルスＰ１、Ｐ２が「Ｌ」となって各出力電圧Ｖ１，Ｖ２が先に調整された電位を保持する。
【００３２】
一方、時刻ｔ３〜ｔ４間において、第２のＵＰＳ１２−２が停止したとすると、出力電圧Ｖ２が０Ｖとなり、他号機運転信号４３−２が「Ｌ」、他号機停止信号４５−２が「Ｈ」となる。また、各アンド回路３２−２，３４−２及びオア回路３６−２の出力信号、電圧下降指令信号４６−２、点弧パルスＰ２も「Ｌ」となる。
また、第１のＵＰＳ１２−１においては、他号機停止信号４５−２が「Ｈ」となるので、オア回路３６−１の出力信号が「Ｈ」となって、これがアンド回路３４−１の一方の入力端に供給された状態となる。
【００３３】
この状態において、同時刻ｔ３〜ｔ４間にて、電圧下降操作スイッチ２２がオンとされると、電圧下降操作信号４２−１が「Ｈ」となってアンド回路３４−１の他方の入力端に供給されるので、アンド回路３４−１の出力信号が「Ｈ」となって、これが電圧下降指令制御部３７−１に供給される。
この時、他方の電圧下降操作信号４２−２も「Ｈ」となるが、第２のＵＰＳ１２−２は停止中なので、第１のＵＰＳ１２−１には他号機運転信号４３−２が送信されてこない。このため、第１のＵＰＳ１２−１における電圧下降動作は同期でなく単独で行われることになる。
【００３４】
即ち、電圧下降指令信号４６−１が「Ｈ」となり、この「Ｈ」に応じて点弧パルスＰ１の幅が狭まるように制御される。この点弧パルスＰ１がインバータ１６−１に供給されると、出力電圧Ｖ１が下降する。
以上説明したように本実施の形態のＵＰＳ並列システムによれば、並列接続された全てのＵＰＳ１２−１，１２−２の何れか一つに配備され、その全てのＵＰＳ１２−１，１２−２の出力電圧Ｖ１，Ｖ２を上昇又は下降するため操作が行われ、この操作が行われた際に全てのＵＰＳ１２−１，１２−２に対して個々に電圧操作信号（電圧上昇操作信号４１−１，４１−２又は電圧下降操作信号４２−１，４２−２）を出力する操作パネル１３を備える。
【００３５】
また、全てのＵＰＳ１２−１，１２−２に個々に配備され、自ＵＰＳ１２−１用の電圧操作信号と、他ＵＰＳ１２−２用の電圧操作信号との双方が入力された際に、自ＵＰＳ２１−１の出力電圧を上昇又は下降させるようにに調整する出力電圧調整装置１４−１，１４−２とを備えた。
つまり、双方のＵＰＳ１２−１，１２−２の電圧操作信号が自ＵＰＳ１２−１に入力されることを条件として、自ＵＰＳ１２−１の出力電圧Ｖ１を上昇又は下降させるようにしたので、自ＵＰＳ１２−１の出力電圧Ｖ１は、他ＵＰＳ１２−２の出力電圧Ｖ２の上昇又は下降に同期して上昇又は下降することとなる。従って、並列接続された全てのＵＰＳ１２−１，１２−２の出力電圧Ｖ１，Ｖ２を同期状態で上昇又は下降させる調整を行うことができる。しかも、操作パネル１３は１つのみなので、一回の操作で上記の調整を行うことができる。
【００３６】
従って、各ＵＰＳ１２−１，１２−２の出力電圧を同電位に調整する場合、短時間で容易に調整することができる。
また、出力電圧調整装置１４−１，１４−２は、自ＵＰＳ１２−１及び他ＵＰＳ１２−２の双方が運転中の場合に、その双方の電圧操作信号が入力されたことを条件として、自ＵＰＳ１２−１の出力電圧Ｖ１を上昇又は下降させるように調整し、自ＵＰＳ１２−１が運転中で、他ＵＰＳ１２−２が停止中の場合は、自ＵＰＳ１２−１用の電圧操作信号のみに応じて自ＵＰＳ１２−１の出力電圧Ｖ１を上昇又は下降させるように調整するようにした。
【００３７】
これによって、他ＵＰＳ１２−２が停止中の場合は、操作パネル１３での操作によって自ＵＰＳ１２−１のみの出力電圧Ｖ１の上昇又は下降の調整を行うことができる。
【図面の簡単な説明】
【００３８】
【図１】本発明の実施の形態に係るＵＰＳ並列システムの構成を示す図である。
【図２】上記実施の形態に係るＵＰＳ並列システムにおける各ＵＰＳの出力電圧を上昇させる際の動作を説明するためのタイミングチャートである。
【図３】上記実施の形態に係るＵＰＳ並列システムにおける各ＵＰＳの出力電圧を下降させる際の動作を説明するためのタイミングチャートである。
【符号の説明】
【００３９】
１２−１  第１のＵＰＳ
１２−２  第２のＵＰＳ
１３  操作パネル
１４−１，１４−２  出力電圧調整装置
１５−１，１５−２  点弧パルス発生装置
１６−１，１６−２  インバータ
１７−１，１７−２  整流器
３１−１，３２−１，３３−１，３４−１  アンド回路
３５−１，３６−１  オア回路
３７−１，３７−２  電圧上昇指令制御部
３８−１，３８−２  電圧下降指令制御部
４１−１，４１−２  電圧上昇操作信号
４２−１，４２−２  電圧下降操作信号
４３−１，４３−２  他号機運転信号
４４−１，４４−２  電圧上昇指令信号
４５−１，４５−２  他号機停止信号
４６−１，４６−２  電圧下降指令信号
Ｐ１，Ｐ２  点弧パルス
Ｖ１，Ｖ２  出力電圧
【図１】
2005269720.tif 000003
【図２】
2005269720.tif 000004
【図３】
2005269720.tif 000005